(57)【特許請求の範囲】
【請求項１】
内部に排気送風機を設けた排気ユニットの空気流路に連通し設けられる固定フードと、この固定フードにスライド自在に設けられるスライドフードと、このスライドフードをスライド方向に駆動する駆動装置とを備えたレンジフードにおいて、前記排気ユニットが前記固定フード上に載置され、前記駆動装置は、前記スライドフードを連結固定部にて連結したワイヤーを巻回したメインプーリを設けた駆動モータと、前記連結固定部の位置を検知して前記駆動モータの運転を制御する位置検知手段とを一枚の板材に配設するとともに、前記板材に直線方向にスライド溝を設けてユニット化し、前記固定フード上に前記排気ユニットと並置して取り外しができるように装着され、前記連結固定部が前記スライド溝を移動する構成としたレンジフードにおけるスライドフードの駆動装置。
【請求項２】
駆動モータに設けられるメインプーリを軸方向に上プーリと下プーリの２段組みとし、前記上プーリと前記下プーリに前記ワイヤーの一端と他端を互いに反対方向に巻回した請求項１記載のレンジフードにおけるスライドフードの駆動装置。
【請求項３】
駆動装置をスライドフードの左右を駆動するように固定フード上の両側に設けた請求項１記載のレンジフードにおけるスライドフードの駆動装置。
【発明の詳細な説明】
【技術分野】
【０００１】
本発明は、レンジフードの固定フードにスライド自在に設けられるスライドフードの駆動装置に関する。
【背景技術】
【０００２】
従来、この種のレンジフードにおいて、可動フードを駆動ユニットにより駆動するものが知られている（例えば、特許文献１参照）。
【０００３】
以下、そのレンジフードの駆動ユニットについて図８を参照しながら説明する。
【０００４】
図に示すように、駆動ユニット１０１は、外筐１０２内に設けられた駆動モータ（図示せず）と、この駆動モータにて回転されるボルト１０３と、このボルト１０３に、接続された駆動駒１０４からなり、駆動モータの運転によりボルト１０３が回動し駆動駒１０４が前後に移動する。そして、駆動駒１０４は可動フード部１０５と連結ピン１０６を介して接合され、排気用送風機および給気用送風機（図示せず）と連動するように設けられている。
【特許文献１】特開平３−２７１６４７号公報（第４頁、第５図）
【発明の開示】
【発明が解決しようとする課題】
【０００５】
このような従来のレンジフードに設けられる駆動ユニット１０１は、外筐１０２に設けられる駆動モータと、ボルト１０３および駆動駒１０４の各部材はいちいち外筐１０２に組み込まなければならないので、組立性およびメンテナンス性が悪いという課題があり、駆動ユニット１０１の各部材を一体に設けてユニット化を図り、組立性およびメンテナンス性の向上を図ることが要求されている。
【０００６】
本発明は、このような従来の課題を解決するものであり、駆動ユニットを一枚の板材に配設しユニット化して組立性およびメンテナンス性の向上を図ることのできるレンジフードにおけるスライドフードの駆動装置を提供することを目的としている。
【課題を解決するための手段】
【０００７】
本発明のレンジフードにおけるスライドフードの駆動装置は、上記目的を達成するために、内部に排気送風機を設けた排気ユニットの空気流路に連通し設けられる固定フードと、この固定フードにスライド自在に設けられるスライドフードと、このスライドフードをスライド方向に駆動する駆動装置とを備え、前記駆動装置は、ワイヤーを介し前記スライドフードの連結固定部を直線方向に移動する駆動モータと、前記駆動モータの運転を制御する位置検知手段とを一枚の板材に配設するとともに、前記板材に直線方向にスライド溝を設けてユニット化し、前記固定フード上に前記排気ユニットと並置して取り外しができるように装着され、連結固定部がスライド溝を移動する構成としたものである。
【０００８】
この手段により、駆動モータ、ワイヤー、位置検出手段等を一枚の板上に配設し、ユニット化したので組立性およびメンテナンス性の向上を図ることのできるレンジフードにおけるスライドフードの駆動装置が得られる。
【０００９】
また、他の手段は、駆動モータに設けられるメインプーリを軸方向に２段組みとしたものである。
【００１０】
この手段により、スライドフードを駆動するワイヤーが絡まないようにできるレンジフードにおけるスライドフードの駆動装置が得られる。
【００１１】
また、他の手段は、駆動装置をスライドフードの左右を駆動するように固定フードの両側に設けたものである。
【００１２】
この手段により、スライドフードのスライドをスムーズに行なうことができるレンジフードにおけるスライドフードの駆動装置が得られる。
【００１３】
また他の手段は、駆動装置をスライドフードの一方を駆動するように固定フードに設け、スライドフードの他方側を駆動モータのない従動装置を介して駆動するように設けたものである。
【００１４】
この手段により、スライドフードのスライド時のしゃくりやがたつきを防止できるレンジフードにおけるスライドフードの駆動装置が得られる。
【００１５】
また、他の手段は、少なくとも一本のワイヤーと、このワイヤーにはスライドフードと連結固定される連結固定部を設け、前記連結固定部がスライドフードのスライドに対し抵抗を与える構成としたものである。
【００１６】
この手段により、スライドフードのスライド時のしゃくりやがたつきを防止できるレンジフードにおけるスライドフードの駆動装置が得られる。
【発明の効果】
【００１７】
本発明によれば、組立性およびメンテナンス性の向上を図ることができるという効果のあるレンジフードにおけるスライドフードの駆動装置を提供できる。
【００１８】
また、スライドフードを駆動するワイヤーが絡まないという効果のあるレンジフードにおけるスライドフードの駆動装置を提供できる。
【００１９】
また、スライドフードのスライドをスムーズに行なうことができるという効果のあるレンジフードにおけるスライドフードの駆動装置を提供できる。
【００２０】
また、スライドフードのスライド時のしゃくりやがたつきを防止できるという効果のあるレンジフードにおけるスライドフードの駆動装置を提供できる。
【発明を実施するための最良の形態】
【００２１】
本発明の請求項１に記載のレンジフードにおけるスライドフードの駆動装置は、内部に排気送風機を設けた排気ユニットの空気流路に連通し設けられる固定フードと、この固定フードにスライド自在に設けられるスライドフードと、このスライドフードをスライド方向に駆動する駆動装置とを備えたレンジフードにおいて、前記排気ユニットが前記固定フード上に載置され、前記駆動装置は、前記スライドフードを連結固定部にて連結したワイヤーを巻回したメインプーリを設けた駆動モータと、前記連結固定部の位置を検知して前記駆動モータの運転を制御する位置検知手段とを一枚の板材に配設するとともに、前記板材に直線方向にスライド溝を設けてユニット化し、前記固定フード上に前記排気ユニットと並置して取り外しができるように装着され、前記連結固定部が前記スライド溝を移動する構成としたものであり、スライドフードが駆動装置を形成する板材に設けたスライド溝を介してワイヤーに連結固定されることにより、駆動装置は、板材の面積内で構成されて固定フード上に排気ユニットと並置することが容易となり、また、その交換やメンテナンスを容易に行うことができるという作用を有する。
【００２２】
本発明の請求項２に記載のレンジフードにおけるスライドフードの駆動装置は、請求項１に記載のものにおいて、駆動モータに設けられるメインプーリを軸方向に上プーリと下プーリの２段組みとし、前記上プーリと前記下プーリに前記ワイヤーの一端と他端を互いに反対方向に巻回したものであり、駆動装置を形成する板材の面積を小さくすることができて、固定フード上への装着がより容易になるとともに、ワイヤーの端部における絡みがなくなって、構成要素を少なくすることができ、駆動装置のメンテナンスがより容易になるという作用を有する。
【００２３】
本発明の請求項３に記載のレンジフードにおけるスライドフードの駆動装置は、請求項１に記載の駆動装置を、スライドフードの左右を駆動するように固定フード上の両側に設けたものであり、スライドフードがこじれることなくスムーズにスライドすることができるように、スライドフードの右側と左側の両側に左右同一のスライド駆動力を加える２台の駆動装置を、固定フード上に装着することが可能となる。
【００２４】
本第１の発明のレンジフードにおけるスライドフードの駆動装置は、内部に排気送風機を設けた排気ユニットの空気流路に連通し設けられる固定フードと、この固定フードにスライド自在に設けられるスライドフードと、このスライドフードをスライド方向に駆動する駆動装置とを備え、前記駆動装置は、ワイヤーを介し前記スライドフードの連結固定部を直線方向に移動する駆動モータと、前記駆動モータの運転を制御する位置検知手段とを一枚の板上に配設し、ユニット化したものであり、駆動モータと、駆動モータにより駆動されるワイヤーの駆動により直線方向に移動されるスライドフードの連結固定部と、連結固定部が移動し、スライドフードが所定の位置に移動したときに検知し、前記駆動モータの運転を停止する位置検知手段等の多数の部材を一枚の板材に配設してユニット化された駆動装置が形成されることにより、駆動装置を、スライドフードをスライド自在に固定する固定フードに設けることが容易となり組立性が向上するとともに、駆動装置の駆動モータやワイヤー等が損傷し新しい駆動装置に取り替えたりメンテナンスを行うときには、板材を取り外し新しい駆動装置に交換したりメンテナンスを行うことができるという作用を有する。
【００２５】
また、本第２の発明のレンジフードにおけるスライドフードの駆動装置は、本第１の発明において、駆動モータに設けられるメインプーリを軸方向に２段組みとしたことにより、ワイヤーの一端はメインプーリの上側のプーリに取り付け、ワイヤーの他端はメインプーリの下側のプーリに取り付けることができ、駆動モータにより反時計方向にメインプーリが回転されるときには、例えば上側のプーリはワイヤーの一端を巻き取る方向に回転し、下側のプーリはワイヤーの他端を巻き戻す方向に回転することにより、ワイヤーの端部における絡みをなくすことができるという作用を有する。
【００２６】
また、本第３の発明のレンジフードにおけるスライドフードの駆動装置は、本第１の発明において、駆動装置をスライドフードの左右を駆動するように固定フードの両側に設けたものであり、同一能力の駆動装置がスライドフードの右側と左側においてスライド駆動するように設けられていることにより、スライドフードの右側と左側の両側において駆動されるスライドフードには左右同一のスライド駆動力が加わり、スライドフードは、こじれることなくスムーズにスライドすることができるという作用を有する。
【００２７】
また、本第４の発明のレンジフードにおけるスライドフードの駆動装置は、本第１の発明において、駆動装置をスライドフードの一方を駆動するように固定フードを設け、スライドフードの他方側を駆動モータのない従動装置を介して駆動するように設けたものであり、駆動装置をスライドフードの一方を駆動するように設け、他方を自由に移動するようにフリーな状態に設けた場合には、スライドフードの他方側が勝手に前後に移動し駆動装置によるスライドフードの移動とは異なる移動が生じ、スライドフードのこじれにより、しゃくりやがたつきが発生しスライドフードがスムーズに移動しないこととなるが、他方側に駆動モータの有さない従動装置を設けることにより、従動装置が一定の抵抗となり、スライドフードの他方側が勝手に前後に移動することがなくなることとなり、一方側に設けた駆動装置と、他方側に設けた従動装置により、駆動のバランスが取れ、スライドフードがしゃくりやがたつくことなくスライドすることができるという作用を有する。
【００２８】
また、本第５の発明のレンジフードにおけるスライドフードの駆動装置は、本第１の発明または本第４の発明において、少なくとも１本のワイヤーと、このワイヤーにはスライドフードと連結固定される連結固定部を設け、前記連結固定部がスライドフードのスライドに対し抵抗を与える構成としたものであり、駆動装置を設けた一方側に対し、他方側には連結固定部による抵抗があることにより、スライドフードの他方側が勝手に前後に移動することがなくなり、スライドフードのスライド時にスライドフードの他方側がしゃくりやがたつくことがなくなりスライドできるという作用を有する。
【００２９】
以下、本発明の実施の形態について図面を参照しながら説明する。
【００３０】
（実施の形態１）
図１〜図４に示すように、内部に排気送風機１を設けた排気ユニット２の空気流路に連通し設けられる固定フード３と、固定フード３にスライド自在に設けられるスライドフード４と、このスライドフード４をスライド方向に駆動する駆動装置５とを備え、駆動装置５は、板材６に取付台７を介して正逆回転可能な駆動モータ８を設け、駆動モータ８には軸方向に上プーリ９ａと下プーリ９ｂを２段組みとしたメインプーリ９を設け、スライドフード４の連結固定部１０が直線方向に移動できるようにスライド溝１１を板材６に設け、ワイヤー１２の途中を連結固定部１０に連結し、ワイヤー１２の一端は、板材６に設けたスライド溝１１の近傍に設けたサブプーリ１３Ａを介し、メインプーリ９の上プーリ９ａに、時計方向に複数回巻回して連結し、ワイヤー１２の他端は板材６に設けたスライド溝１１の近傍に設けたサブプーリ１３Ｂを介し、メインプーリ９の下プーリ９ｂに反時計方向に複数回巻回して連結し、ワイヤー１２を介して連結固定部１０がスライド溝１１の両端部に移動したときに駆動モータ８の運転を停止する位置検知手段１４Ａ、１４Ｂを設け、メインプーリ９とサブプーリ１３Ａ、１３Ｂ間に張架されているワイヤー１２のゆるみをなくすように調節するテンション部１５を設け、以上のようなユニット化した構成で、固定フード３に装着されている。
【００３１】
上記構成において、固定フード３内にスライドフード４が収納されている状態においては、連結固定部１０はサブプーリ１３Ｂの近傍のスライド溝１１の後端部にあって位置検知手段１４Ｂにより、駆動モータ８の運転は停止状態にある。
【００３２】
次に、スライドフード４を固定フード３の前方にスライドするときには、固定フード３に設けたスイッチ（図示せず）を操作することにより、駆動モータ８が反時計方向に回転され、駆動モータ８に設けたメインプーリ９の上プーリ９ａにワイヤー１２が巻き取られ、下プーリ９ｂに巻かれていたワイヤー１２は巻き戻され、サブプーリ１３Ａを介してワイヤー１２に連結した連結固定部１０がスライド溝１１をスライドして、連結固定部１０に連結したスライドフード４が固定フード３前方側にスライドして移動し、連結固定部１０がサブプーリ１３Ａ側のスライド溝の１１の端部側にスライドすると、連結固定部１０により位置検知手段１４Ａが作動して駆動モータ８の運転が停止され、スライドフード４は固定フード３の前方に引き出された状態で保持され、レンジフードとして運転ができることとなる。
【００３３】
また、レンジフードとしての運転を停止するためスライドフード４を固定フード３内に収納するときには、スイッチ（図示せず）を操作して駆動モータ８を駆動すると、メインプーリ９は、時計方向に回転し、下プーリ９ｂにワイヤー１２が巻き取られ、上プーリ９ａに巻回されていたワイヤー１２は巻き戻され、スライドフード４に連結されている連結固定部１０はサブプーリ１３Ｂ側に向かいスライド溝１１をスライドし、連結固定部１０がサブプーリ１３Ｂ近傍のスライド溝１１の端部に近づくと連結固定部１０が位置検知手段１４Ｂを作動し、駆動モータ８の運転は停止され、スライドフード４は固定フード３内に収納した状態で保持される。
【００３４】
このように本発明の実施の形態１の発明によれば、内部に排気送風機１を設けた排気ユニット２の空気流路に連通し設けられる固定フード３と、固定フード３にスライド自在に設けられるスライドフード４と、このスライドフード４をスライド方向に駆動する駆動装置とを備え、駆動装置５は、ワイヤー１２を介しスライドフード４の連結固定部１０を直線方向に移動する駆動モータ８と、駆動モータ８の運転を制御する位置検知手段１４Ａ、１４Ｂとを一枚の板材６上に配設しユニット化したので、駆動モータ８と、駆動モータ８により駆動されるワイヤー１２と、サブプーリ１３Ａと１４Ｂを介して張架されるワイヤー１２の駆動により直線方向に移動させるスライドフード４の連結固定部１０と、連結固定部１０が移動し、スライドフード４が所定の位置に移動したときに検知し、駆動モータ８の運転を停止する位置検知手段１４Ａ、１４Ｂ等の多数の部材を一枚の板材６に配設してユニット化された駆動装置５が形成されることにより、駆動装置５を、スライドフード４をスライド自在に固定する固定フード３に設けることが容易となり、組立性が向上するとともに、駆動装置５の駆動モータ８やワイヤー１２等が損傷し、新しい駆動装置５に取り替えたりメンテナンスを行なうときには、板材６を取り外し新しい駆動装置５に交換したりメンテナンスを行なうことができることとなる。
【００３５】
また、駆動モータ８に設けられるメインプーリ９を軸方向に上プーリ９ａと下プーリ９ｂの２枚組みとしたことにより、ワイヤー１２の一端はメインプーリ９の上プーリ９ａに取り付け、ワイヤー１２の他端はメインプーリ９の下プーリ９ｂに取り付けることができ、駆動モータ８により反時計方向にメインプーリ９が回動されるときには、上プーリ９ａはワイヤー１２を巻き取る方向に回動し、下プーリ９ｂはワイヤー１２を巻き戻す方向に回動することにより、ワイヤー１２が絡み合うことがなくなることとなる。
【００３６】
（実施の形態２）
図５に示すように、駆動装置５Ａをスライドフード４Ａの左右に力を加えてスライドするように固定フード３Ａの両側に設け構成する。
【００３７】
上記構成において、スライドフード４Ａをスライドするときには、駆動装置５Ａを駆動すると、同一能力を持った駆動装置５Ａにより、スライドフード４Ａの左右に均等な力が加わり、スライドフード４Ａはスライドされる。
【００３８】
このように実施の形態２の発明によれば、駆動装置５Ａをスライドフード４Ａの左右を駆動するように固定フード３Ａの両側に設けたので、同一能力の駆動装置５Ａによりスライドフード４Ａの右側と左側の両側において駆動されるスライドフード４Ａには左右同一のスライド駆動力が加わり、スライドフード４Ａはこじれることなくスムーズにスライドすることができることとなる。
【００３９】
（実施の形態３）
図６に示すように、駆動装置５Ｂをスライドフード４Ｂの左右の何れか一方を駆動するように固定フード３Ｂに設け、スライドフード４Ｂの他方側を駆動モータのない状態でサブプーリ１３Ａ、１３Ｂ、１３Ｃにより張架されるワイヤー１２Ａを設け、スライド溝１１Ａをスライドするスライドフード４Ｂの連結固定部１０Ａにワイヤー１２Ａを連結した従動装置１７を設け構成する。
【００４０】
上記構成において、スライドフード４Ｂをスライドするときに駆動装置５Ｂを駆動すると、スライドフード４Ｂの一方側がスライドするとともに、他方の従動装置１７に設けた連結固定部１０Ａがスライド溝１１Ａをスライドするように従動して移動し、スライドフード４Ｂ全体がスライドされる。
【００４１】
このように実施の形態３の発明によれば、駆動装置５Ｂをスライドフード４Ｂの左右の何れか一方を駆動するように固定フード３Ｂに設け、スライドフード４Ｂの他方側を駆動モータのない従動装置１７を介して駆動するように設けたので、駆動装置５Ｂをスライドフード４Ｂの一方を駆動するように設け、他方を自由に移動するようにフリーな状態に設けた場合には、スライドフード４Ｂの他方側が勝手に前後に移動し、駆動装置５Ｂによるスライドフード４Ｂの移動とは異なる移動が生じ、スライドフード４Ｂのこじれにより、しゃくりや、がたつきが発生し、スライドフード４Ｂがスムーズにスライドしないこととなるが、他方側に駆動モータのない従動装置１７を設けることにより、従動装置１７が一定の抵抗となり、スライドフード４Ｂの他方側が勝手に前後に移動するということがなくなり、一方側に設けた駆動装置５Ｂと、他方側に設けた従動装置１７により、スライドのバランスがとれ、スライドフード４Ｂがしゃくりやがたつくことなくスライドすることができることとなる。
【００４２】
（実施の形態４）
図７に示すように、１本のワイヤー１２Ｂと、このワイヤー１２Ｂには、スライドフード４Ｃと連結固定される連結固定部１０Ｂを設け、連結固定部１０Ｂがスライドフード４Ｃのスライドに対し抵抗を与えるように、連結固定部１０Ｂをスライド溝１１Ｂにスライドさせる従動装置１７Ａを設け構成する。
【００４３】
上記構成において、スライドフード４Ｃをスライドするときに、駆動装置５Ｂを駆動すると、スライドフード４Ｃの一方側がスライドするとともに、他方の従動装置１７Ａに設けた連結固定部１０Ｂがスライド溝１１Ｂをスライドするように従動して移動する。このときスライド溝１１Ｂに対し、連結固定部１０Ｂは一定の抵抗を受けてスライドすることとなり、スライドフード４Ｃ全体がスライドされる。
【００４４】
このように実施の形態４の発明によれば、少なくとも一本のワイヤー１２Ｂと、このワイヤー１２Ｂにはスライドフード４Ｃと連結固定される連結固定部１０Ｂを設け、連結固定部１０Ｂがスライドフード４Ｃのスライドに対し抵抗を与えたので、駆動装置５Ｂを設けた一方側に対し、他方側には連結固定部１０Ｂによる抵抗があることにより、スライドフード４Ｃの他方側が勝手に前後に移動することがなくなり、スライドフード４Ｃのスライド時にスライドフード４Ｃの他方側がしゃくりやがたつくことなく、スライドすることができることとなる。
【産業上の利用可能性】
【００４５】
ユニット化した駆動装置や従動装置を用いることにより、物体を容易に駆動することができ、種々の駆動装置の用途にも適用できる。
【図面の簡単な説明】
【００４６】
【図１】本発明の実施の形態１の駆動装置を設けたレンジフードの概略上面図
【図２】同駆動装置の上面図
【図３】同駆動装置のメインプーリの２段構造を示す側面図
【図４】同レンジフードの斜視図
【図５】本発明の実施の形態２の駆動装置を設けたレンジフードの概略上面図
【図６】本発明の実施の形態３の駆動装置を設けたレンジフードの概略上面図
【図７】本発明の実施の形態４の駆動装置を設けたレンジフードの概略上面図
【図８】従来のレンジフードの可動時を示す側部断面図
【符号の説明】
【００４７】
１      排気送風機
２      排気ユニット
３      固定フード
３Ａ    固定フード
３Ｂ    固定フード
４      スライドフード
４Ａ    スライドフード
４Ｂ    スライドフード
４Ｃ    スライドフード
５      駆動装置
５Ａ    駆動装置
５Ｂ    駆動装置
６      板材
８      駆動モータ
９      メインプーリ
９ａ    上プーリ
９ｂ    下プーリ
１０    連結固定部
１０Ｂ  連結固定部
１２    ワイヤー
１４Ａ  位置検知手段
１４Ｂ  位置検知手段
１７    従動装置
１７Ａ  従動装置
【図１】
0004730344.tif 000002
【図２】
0004730344.tif 000003
【図３】
0004730344.tif 000004
【図４】
0004730344.tif 000005
【図５】
0004730344.tif 000006
【図６】
0004730344.tif 000007
【図７】
0004730344.tif 000008
【図８】
0004730344.tif 000009